(57)【要約】【課題】光量立ち上りを早くし、早く安定光量にする光学制御を有する画像読み取り装置及びこれを備えた画像形成装置を提供する。【解決手段】露光ランプ２と、この露光ランプ２を点灯させるためのインバータ回路８０と、このインバータ回路８０に入力する露光ランプ点灯信号及び前記露光ランプを点灯するためのパルス周波数を制御する制御回路６８と、前記露光ランプ２で照射された光学的な原稿情報を電気信号に変換するため光電変換素子６０と、前記露光ランプ２近傍の温度を検出する温度検出手段５０を有する画像読み取り装置において、前記露光ランプ２の点灯が最小光量で立ち上る時、前記温度検出手段５０からの温度情報により、前記制御回路６８からのパルス周波数を、最小光量での点灯パルス周波数より高くするように制御する。【選択図】図３
2008042689.tif 000002
【特許請求の範囲】
【請求項１】
露光ランプと、この露光ランプを点灯させるためのインバータ回路と、このインバータ回路に入力する露光ランプ点灯信号及び前記露光ランプを点灯するためのパルス周波数を制御する制御回路と、前記露光ランプで照射された光学的な原稿情報を電気信号に変換するため光電変換素子と、前記露光ランプ近傍の温度を検出する温度検出手段を有する画像読み取り装置において、前記露光ランプの点灯が最小光量で立ち上る時、前記温度検出手段からの温度情報により、前記制御回路からのパルス周波数を、最小光量での点灯パルス周波数より高くするように制御することを特徴とする画像読み取り装置。
【請求項２】
前記露光ランプの光量変更は、前記温度検出手段からの温度情報に基づいて、前記制御回路からのパルス周波数を変更して行うことを特徴とする請求項１記載の画像読み取り装置。
【請求項３】
前記露光ランプの点灯立ち上がり時、前記光電変換素子からのデータが一定の出力になるように、前記パルス周波数を、前記温度検出手段からの温度情報に基づいて変更することを特徴とする請求項１記載の画像読み取り装置。
【請求項４】
前記パルス周波数の変更は、数段階に変更していくことを特徴とする請求項１乃至３のいずれか１項記載の画像読み取り装置。
【請求項５】
前記温度検出手段は、第１キャリッジに搭載されていることを特徴とする請求項１記載の画像読み取り装置。
【請求項６】
前記温度検出手段は、露光ランプ中央部の温度を検出する位置に配置されていることを特徴とする請求項５記載の画像読み取り装置。
【請求項７】
請求項１乃至６のいずれか１項記載の画像読み取り装置を備えていることを特徴とする画像形成装置。
【発明の詳細な説明】
【技術分野】
【０００１】
本発明は、イメージスキャナ、特にＰＰＣ、ファクシミリなどの光学制御を有する画像読み取り装置及びこれを備える画像形成装置に関するものである。
【背景技術】
【０００２】
従来の画像読み取り装置の照明装置は、装置システムの様々な読み取り速度、受光素子に対する必要光量に対し、装置毎に固有照度の光源を個別対応で制作していたため、読み取りモード（モノクロ／カラー）で異なる読み取り速度に対応できず、光電素子飽和を防ぐため、速度の遅い（一般的にはカラー）に合わせた光学設計のため、読み取り速度の早いシステムでは必要光量不足を生じて、Ｓ／Ｎの劣化が懸念された。
また、必要光量の異なる装置システムで同じ光源を使用することができず、部品種類数の膨大化が進み、管理が難しくなった。さらに、別の方法として、同じランプを使う場合は、メカシェーディング板を使用し、光量をカットして使用していたが、光電素子に対し過度な光を遮断するので、無駄なエネルギを消費している（例えば、特許文献１及び２参照）。
特許文献１には、ライン同期とランプ点灯／消灯の周期を一定にする技術が開示されている。特許文献２には、希ガス蛍光ランプの点灯装置における周波数変更による調光機能を開示している。
【特許文献１】特開平７−７４８９０号公報
【特許文献２】特開平１１−２６５０５５号公報
【発明の開示】
【発明が解決しようとする課題】
【０００３】
しかしながら、ランプの温度特性により、高い光量で調整してあるランプを、低い光量で点灯させると、必要光量に対し徐々に光量が上昇していく不具合がある。また、ランプ温度が一定になるまで照度が安定せず、１スキャン、スキャン毎の濃度ムラとなり、読み取り画像として問題となることがあった。
そこで、本発明の目的は、上述した実情を考慮して、露光ランプの点灯立ち上がり時に、温度検出手段（サーミスタ）により検出される露光ランプ管面温度を検出して、ランプ点灯ＣＬＫ周波数を高くすることで、光量立ち上りを早くし、早く安定光量にする光学制御を有する画像読み取り装置及びこれを備えた画像形成装置を提供することにある。
【課題を解決するための手段】
【０００４】
上記の課題を解決するために、請求項１に記載の発明は、露光ランプと、この露光ランプを点灯させるためのインバータ回路と、このインバータ回路に入力する露光ランプ点灯信号及び前記露光ランプを点灯するためのパルス周波数を制御する制御回路と、前記露光ランプで照射された光学的な原稿情報を電気信号に変換するため光電変換素子と、前記露光ランプ近傍の温度を検出する温度検出手段を有する画像読み取り装置において、前記露光ランプの点灯が最小光量で立ち上る時、前記温度検出手段からの温度情報により、前記制御回路からのパルス周波数を、最小光量での点灯パルス周波数より高くするように制御する画像読み取り装置を特徴とする。
また、請求項２に記載の発明は、前記露光ランプの光量変更が、前記温度検出手段からの温度情報に基づいて、前記制御回路からのパルス周波数を変更して行う請求項１記載の画像読み取り装置を特徴とする。
【０００５】
また、請求項３に記載の発明は、前記露光ランプの点灯立ち上がり時、前記光電変換素子からのデータが一定の出力になるように、前記パルス周波数を、前記温度検出手段からの温度情報に基づいて変更する請求項１記載の画像読み取り装置を特徴とする。
また、請求項４に記載の発明は、前記パルス周波数の変更が、数段階に変更していく請求項１乃至３のいずれか１項記載の画像読み取り装置を特徴とする。
また、請求項５に記載の発明は、前記温度検出手段が、第１キャリッジに搭載されている請求項１記載の画像読み取り装置を特徴とする。
また、請求項６に記載の発明は、前記温度検出手段が、露光ランプ中央部の温度を検出する位置に配置されている請求項５記載の画像読み取り装置を特徴とする。
また、請求項７に記載の発明は、請求項１乃至６のいずれか１項記載の画像読み取り装置を備えている画像形成装置を特徴とする。
【発明の効果】
【０００６】
本発明によれば、露光ランプの最大光量での点灯の立ち上り時には、温度検出手段からの温度情報に基づいて制御回路部からのパルスの周波数を、最小光量での点灯パルス周波数より高くするように制御することで、露光ランプ立ち上がり時の立ち上がり時間を早くし、早く光量が安定するようにできる。
【発明を実施するための最良の形態】
【０００７】
以下、図面を参照して、本発明の実施の形態を詳細に説明する。図１は本発明に係るカラー画像読み取り装置を示す全体構成図である。先ず、スキャナ本体０１に関しての構成について説明する。原稿台ガラス８上に置かれた原稿（図示せず）は、第１ミラー３と照明ランプ２により照射される。
第１ミラー３と照明ランプ２は第１キャリッジ３１に搭載されており、原稿台下部を移動しながら走査を行う。原稿からの反射光は、第１ミラー３及び第２キャリッジ３２上の第２ミラー５、第３ミラー４で走査され、レンズ１により集束され、光電変換素子であるＣＣＤが搭載されたＳＢＵ（センサボードユニット）１０に照射されることにより電気信号に光電変換される。
第１ミラー３、照明ランプ２及び第２ミラー５、第３ミラー４をそれぞれ搭載する第１及び２キャリッジ３１、３２は、走行体モータ９を駆動源として、キャリッジホーム位置（ホームポジション）から最大走査領域方向（図の左右方向）に移動可能となっている。
【０００８】
次に、ＡＲＤＦ（自動両面原稿搬送装置）０２に関する構成について説明する。原稿台１１の原稿ガイド１２に沿って積載された原稿は、片面原稿読み取りを選択した場合には、呼び出しコロ１４、給紙ベルト１６により搬送コロ１５、分離コロ１７、第１搬送ローラ１８によりＤＦ（原稿搬送）用読み取りガラス６と反射ガイド板２０との間の読み取り位置を経て、第２搬送ローラ２１及び排紙ローラ２３へ送り込まれ、原稿が排出される。
ＤＦ用読み取りガラス６前にはレジストセンサ１９が配置されており、読み取り部への原稿の進入（先端）や後端部のタイミングを検知できる。一方、両面原稿読み取りを選択した場合には、先ず、原稿の表面の読み取りを、上記片面原稿読み取りを選択した場合と同様に実施する。
原稿の表面の読み取りに関して説明を行う。呼び出しコロ１４、給紙ベルト１６により搬送コロ１５、分離コロ１７、第１搬送ローラ１８によりＤＦ用読み取りガラス６と反射ガイド板２０との間の読み取り位置を経て、第２搬送ローラ２１及び排紙ローラ２３へ送り込まれる。
この時、原稿を排出せずに、分岐爪２４が下方へ切り換えられて反転ローラ２５により反転テーブル２６上へ移送される。原稿の後端が排紙ローラ２３を抜けた後に分岐爪２４が上方へ切り換えられて、いったん、反転ローラ２５が停止する。
【０００９】
次に、原稿の裏面の読み取りに関して説明を行う。原稿の裏面の読み取りを実施するためには、いったん、停止していた反転ローラ２５を上記とは逆方向へ回転させることにより原稿が反転テーブル２６から第１搬送ローラ１８の方向へ搬送され、さらに第１搬送ローラ１８を経て表面と同様にＤＦ用原稿ガラス６と反射ガイド板２０との間の読み取り位置を経て、第２搬送ローラ２１及び排紙ローラ２３へ送り込まれ、その後、原稿が排出される。
原稿は、表面及び裏面の読み取りとともにＤＦ用読み取りガラス６と反射ガイド板２０との間の読み取り位置を通過する際に、読み取り位置の近傍に停止されている照明ランプ２により照射され、その反射光は、第１ミラー３及び一体に構成された第２ミラー５、第３ミラー４で走査される。
以下原稿台１１の場合と同様に光電変換される。ＡＲＤＦ０２の呼び出しコロ１４、給紙ベルト１６、搬送コロ１５、分離コロ１７の給紙機構は給紙モータ（図示せず）により駆動されている。また、第１搬送ローラ１８、第２搬送ローラ２１、排紙ローラ２３、反転ローラ２５の搬送機構は搬送モータ（図示せず）により駆動されている。
さらに、ＡＲＤＦ０２には原稿を検知するために原稿台１１へ原稿がセットされているか否かを検知するセットセンサ１３、原稿サイズを検知するための幅サイズ検知基板２８、第１の原稿長さセンサ２９と第２の原稿長さセンサ３０、原稿の後端を検知するための原稿後端センサ２７が搭載されている。
スキャナ本体０１にはこのスキャナ本体０１及びＡＲＤＦ０２を含めたカラー画像読み取り装置の動作制御を行うＳＣＵ（記憶制御ユニット）７が搭載されている。なお、スキャナ本体０１の下に点線で囲った部分は画像形成、部、給紙部及び熱定着部を含む画像形成装置本体０３を示しているが、本書ではそれ以上の詳細の説明は省略する。
【００１０】
図２は本発明に係る画像読み取り装置の全体を示すブロック図である。図３は図２の画像読み取り装置の制御構成を示すブロック図である。図１乃至図３を参照して、ＳＢＵ１０上のＣＣＤ６０に入光した原稿の反射光は、ＣＣＤ６０内で光の強度に応じた電圧値を持つアナログ信号に変換され、奇数ビットと偶数ビットに分かれて出力される。
上記ＳＢＵ１０のアナログ画像信号は、ＶＩＯＢ（ビデオ入出力ボード）３３（図２）上のアナログ処理回路６１で暗電位部分が取り除かれ、奇数ビットと偶数ビットが合成され、所定の振幅にゲイン調整された後にＡ／Ｄコンバータ６２に入力されデジタル信号化される。
デジタル化された画像信号は、シェーディング部６３によりシェーディング補正され、ＶＩＯＢ３３からＳＣＵ（記憶制御ユニット）７上のＩＰＵ（画像処理ユニット）６４で、ガンマ補正、ＭＴＦ補正等の画像処理が行なわれる。
その後、画像処理された画像信号は、同期信号画像クロックとともにビデオ信号として、画像データ記憶手段（ＳＤＲＡＭ）６６を管理するメモリ−コントローラ６５に入力され、ＳＤＲＡＭ６６で構成される画像メモリに蓄えられる。
画像メモリに蓄えられた画像データは、外部Ｉ／Ｆドライバ６７に送られ、パソコンやプリンタ等の出力装置へ転送される。
【００１１】
実施の形態の外部Ｉ／Ｆドライバ６７はＳＣＳＩ（小型コンピュータシステムインターフェース）、ＩＥＥＥ１３９４、ＬＡＮなどドライバやローカルビデオ信号などを総称して記載している。ＳＣＵ７上には、ＣＰＵ６８、ＲＯＭ６９、ＲＡＭ７０、モータドライバ（コントローラ）７２が実装されており、ＣＰＵ６８は、スキャナ本体０１のステッピングモータである走行体モータ９、ＡＲＤＦの給紙モータ（図示せず）、搬送モータ（図示せず）のタイミング制御も行なっている。
ＡＤＵ（自動原稿搬送ユニット）４２は、ＡＲＤＦ０２に用いる電装部品の電力供給を中継する機能を有している。ＳＣＵ７上のＣＰＵ６８に接続されている入力ポートは、ＶＩＯＢ３３を介して本体操作パネル（ＳＯＰ）４３に接続されている。本体操作パネル（ＳＯＰ）４３上にはスタートスイッチ（図示せず）と停止スイッチ（図示せず）が実装されている。それぞれのスイッチが押下されると入力ポートを介してＣＰＵ６８はスイッチがオンされたことを検出する。
露光ランプ２に近接して配置した温度検出手段（サーミスタ）５０からの出力信号は、ＶＩＯＢ３３を経由して、ＳＣＵ７に搭載されるＣＰＵ６８に接続される。
【００１２】
図４はインバータ回路の機能ブロック図である。同期点灯の場合には、図４に示すように、各ラインの読み取り開始タイミングを規定するライン同期信号（ＴＧ−ＩＮＶ）７５、クロック信号（ＣＬＫ）７６、コントロール信号（ＣＮＴ）７７及びゲート信号（ＧＡＴＥ）７８を入力すると、点灯制御部７９が動作し、インバータ回路８０を制御する。
インバータ回路８０からの出力は昇圧トランス８１を経由して露光ランプ２に印加される。なお、ＣＮＴ７７は露光ランプ２のオン／オフ制御信号、ＧＡＴＥ信号７８はランプ休止期間の制御信号である。なお、図４には、ＧＮＤ（接地）８３、定電圧電源８５の出力電圧（−２４Ｖ）８４を示している。
【００１３】
図５はインバータ回路構成の一例を示す回路図である。図５に示すように、ランプオン／オフ制御信号（ＣＮＴ）７７がハイ（Ｈｉｇｈ）レベルの時、トランジスタＴＲ１がオンし、インバータ制御用ＩＣであるＩＣ１に電力が供給される。
ＩＣ１はスイッチング素子ＦＥＴ１を駆動するためのドライバを内蔵しており、クロック信号７６に応じて所定の周期で発振し、発振パルスにより内蔵ドライバ（図示せず）を駆動し、この内蔵ドライバの出力によりスイッチング素子ＦＥＴ１が駆動される。
駆動信号によりスイッチング素子ＦＥＴ１がオンになると、定電圧電源８５→昇圧トランス８１の１次側巻線→スイッチング素子ＦＥＴ１の経路で電流が流れ、昇圧トランス８１にエネルギが蓄えられる。
【００１４】
次に、スイッチング素子ＦＥＴ１がオフになり、昇圧トランス８１に流れていた電流が遮断されると、蓄えられていたエネルギが放出され、昇圧トランス８１の１次側及び２次側に急峻な立ち上がりを有する電圧波形が発生する。
この電圧波形は時間とともに減衰し、次に、スイッチング素子ＦＥＴ１がオンになった後オフになると、前記と同様に再び急峻な立ち上がりを有する電圧波形が発生する。なお、図５では、図４と同一部分には同一符号を付して、不要な説明は省略する。
スイッチング素子ＦＥＴ１をオン／オフする毎に再び急峻な立ち上がりを有する電圧波形が発生し、ランプ８２に繰り返し電流が流れ、ランプ８２が点灯し、光が放出される。またインバータ制御ＩＣ１は、ＧＡＴＥ信号７８が入力される期間は、出力を停止する。
【００１５】
図６は非同期である露光ランプオン／オフ信号とライン同期信号のタイミングを示すタイミングチャートである。図７はライン同期信号、ゲート信号及びクロック信号とインバータ出力（光波形）のタイミングを示すタイミングチャートである。
図６はランプオン／オフ制御信号（ＣＮＴ）７７とライン同期信号（ＴＧ−ＩＮＶ）７５のタイミングを示したもので、ＣＮＴ７７とは別に点灯周波数の位相同期を取るためにＴＧ−ＩＮＶ７５を供給する。なお、ＣＮＴ信号とＴＧ−ＩＮＶ信号は非同期で供給し、ＣＮＴ信号のオン、オフは任意の時間とする。
ＴＧ−ＩＮＶ７５、ＧＡＴＥ７８及びＣＬＫ７６とインバータ出力（光波形）のタイミングを示す図７において、Ｔ１及びＴ２が休止期間で、必要原稿面照度に応じてこの休止期間を設けることにより１ライン当りの点灯パルス数を任意の値に設定することができる。
【００１６】
図７において、ＧＡＴＥ信号を制御し、ランプ休止期間の終了タイミング、ＣＬＫ信号を制御し、ランプ点灯パルス発生タイミングを切り換えることにより主走査方向のランプ点灯パルス発生タイミングを任意に制御する。
図８は光源の制御を示すブロック図である。図９は図８の光源の制御動作について説明するフローチャートである。図８及び図９を参照して、本体制御部（図示せず）からのランプ点灯信号により、光源（露光ランプ）２をインバータ周波数ｆ１で点灯する（Ｓ１）。
サーミスタ５０の出力をＡ／Ｄ変換器８６でＡ／Ｄ変換した取得データであるデジタルデータは（Ｓ２）、温度データ比較回路８７に入力され、入力された温度データは、予め設定してある温度目標値と比較される（Ｓ３）。目標値と温度データが等しくない場合は、再度、温度データを取得する。
目標値と温度データが等しくなった場合は、インバータ８０に入力されている周波数をｆ１→ｆ０へ変更して（切り換えて）から（Ｓ４）、コピー動作に入り（Ｓ５）、コピー動作終了後ランプが消灯される（Ｓ６）。
露光ランプの光量変更は、温度検出手段（サーミスタ）５０からの温度情報に基づいて、前記制御部からのパルス周波数を変更することで、必要なＣＣＤ出力レベルが早く安定するようにできる。
【００１７】
図１０は露光ランプ立ち上がり時のＣＣＤ出力と時間の関係を比較のためにグラフで示す図である。図１１は本発明による露光ランプ立ち上がり時のＣＣＤ出力と時間の関係をグラフで示す図である。
図１０に示すように従来の露光ランプでは、露光ランプ立ち上がり時には、ランプ光量（ＣＣＤ出力）が一定になるまでに時間が掛かっていた。しかし、上記フローのように、露光ランプ近傍の温度状態により露光ランプの点灯周波数を点灯時の周波数ｆ１と、温度目標値と一致した後の周波数ｆ０に切り換えることで、図１１に示すように、立ち上がり時のランプ光量の立ち上がりを早くし、従来よりも早くランプ光量（ＣＣＤ出力）を安定させることができる。
【００１８】
図１２は光源の他の制御を示すブロック図である。図１３は図１２の光源の制御動作について説明するフローチャートである。図１２及び図１３を参照して、本体制御部（図示せず）からのランプ点灯信号により、露光ランプを点灯する（Ｓ１１）。
図８及び図９に関連して説明したと同様に、サーミスタ５０の出力をＡ／Ｄ変換器８６でＡ／Ｄ変換した取得データであるデジタルデータは（Ｓ１２）、温度データ比較回路８７に入力され、入力された温度データは、予め設定してある温度目標値と比較される（Ｓ１３）。目標値と温度データが等しくない場合は、再度、温度データを取得する。
目標値と温度データが等しくない場合は、目標値との差分を演算して、次段の周波数演算回路８８に送られる。この周波数演算回路８８では、ＲＯＭ（図３の制御ブロック図参照）に予め格納されたプログラムに基づき、次の周波数が決定される。ここで、温度データ比較回路８７と周波数演算回路８８について、さらに詳しく説明する。
点灯周波数と光源発光量は温度因子を除けば、周波数増→光源発光量増、周波数減→光源発光量減の関係がある。また、温度との関係は、温度高→光源発光量減、温度低→光源発光量増の関係がある。
周波数変更を行う場合、ＲＯＭ（図３の制御ブロック図参照）に予め格納されたプログラムを用意しておく。サーミスタの温度を読み、Ａ／Ｄ変換された後の値の狙い値をα、実測値をβとする。α−βを演算し、狙い値に対する差分Δβを求める。
Δβ＝α−β
【００１９】
図１４はΔβの値を表として示す図である。この表（テーブル）には各Δβ（各数値は＊＊以上）に対する、選択すべき周波数変更量Δｆ（ＫＨｚ）が決められている。
例えば、Δβ＝−２５であると、表内のＮｏ．６の温度−４０℃に対応する値、Δｆ６＝−１０ＫＨｚを選択し、現在の点灯周波数がｆ＝１００ＫＨｚであると、ｆ＋Δｆ６＝９０ＫＨｚとなり、点灯周波数を減少し、減光するとともに管面温度を下げることが可能である。
一方、Δβ＝１５であると、テーブル内Ｎｏ．９の温度２０°Ｃに対応する値、Δｆ９＝＋５ＫＨｚを選択する。現在の点灯周波数がｆ＝１００ＫＨｚであると、ｆ＋Δｆ９＝１０５ＫＨｚとなり、点灯周波数を増加し、増光するとともに管面温度を上げることが可能である。
周波数演算回路８８（図１２）で決定された結果に基づき、インバータ回路８０に入力している周波数を変更し、インバータ８０に送られ、ランプ光量を変更し、再び、サーミスタ５０からの温度データを確認し、目標値と等しくなるまで、上記動作が繰り返される。
【００２０】
図１３に戻って、目標値と温度データが等しくなった場合は、コピー動作に入り（Ｓ１４）、コピー動作終了後露光ランプが消灯される（Ｓ１５）。上記動作は、露光ランプを点灯時に、行うものとする。
従来の露光ランプでは、露光ランプ立ち上がり時には、図１０に示すようにランプ光量立ち上りが遅く、ランプ光量（ＣＣＤ出力）が一定になるまでに時間が掛かっていた。
図１５は本発明による露光ランプの立ち上がりを示す特性図である。図１５に示すように、上記フローチャートのように、露光ランプの点灯周波数を制御することで、露光ランプ点灯時のランプ光量立ち上りが早くなり、従来よりも早くランプ光量（ＣＣＤ出力）を安定させることができる。また、周波数の変更については、高い周波数から低い周波数への変更でも良いし、低い周波数から高い周波数へ変更していっても良い。
【００２１】
図１６は本発明の第１キャリッジの構成を示す概略斜視図である。露光ランプ２は第１キャリッジ３１に搭載されている。温度検出手段（サーミスタ）５０は第１キャリッジ３１に適宜な手段で搭載されている。温度検出手段５０を第１キャリッジ３１に搭載するので、露光ランプ２の管面の温度をより近い場所で検出できるようにし、温度に素早く反応できるようにしている。
また、温度検出手段５０は、図１６に示すように露光ランプ２中央部の温度を検出する位置に配置する。温度検出手段５０は、ランプ中央部の温度を検出することで、ランプ管面温度を正確に検出できるようにしている。露光ランプ２は、ランプホルダ２ａ、２ｂ及び高圧ハーネス２ｃから構成され、露光ランプ２に対向してリフレクタ（反射板）３１ａが取り付けられている。
図１７は調光時の露光ランプの管面温度−照度特性の一例を示す特性図である。図１７の領域１においては、管面温度に比例して照度が増加する。領域２は、目標照度（照度１００％）の管面温度である。領域３においては、管面温度に比例して照度が低下する。
【００２２】
図１８はサーミスタの温度−抵抗特性の一例を示す特性図である。この図において、サーミスタはＮＴＣ（負の温度係数の）サーミスタであり、これは、温度が上昇すると抵抗値が減少するという負の温度特性を有する素子である。
本発明による光学制御を有する画像読み取り装置を備えた画像形成装置によれば、露光ランプ２の点灯立ち上がり時に、露光ランプ点灯クロック（ＣＬＫ）周波数を高くすることで、光量立ち上りを早くし、早く安定光量にすることができる。また、インバータに入力するランプ点灯ＣＬＫ周波数を、システム側より変更することで、光量を調整できる。
温度検出手段（サーミスタ）により検出される露光ランプ２管面温度を検出して、露光ランプ点灯ＣＬＫ周波数を制御することで、必要なＣＣＤ出力レベル（ランプ光量）が早く安定するようになる。
【図面の簡単な説明】
【００２３】
【図１】本発明に係るカラー画像読み取り装置を示す全体構成図である。
【図２】本発明に係る画像読み取り装置の全体を示すブロック図である。
【図３】図２の画像読み取り装置の制御構成を示すブロック図である。
【図４】インバータ回路の機能ブロック図である。
【図５】インバータ回路構成の一例を示す回路図である。
【図６】非同期である露光ランプオン／オフ信号とライン同期信号のタイミングを示すタイミングチャートである。
【図７】ライン同期信号、ゲート信号及びクロック信号とインバータ出力（光波形）のタイミングを示すタイミングチャートである。
【図８】光源の制御を示すブロック図である。
【図９】図８の光源の制御動作について説明するフローチャートである。
【図１０】露光ランプ立ち上がり時のＣＣＤ出力と時間の関係を比較のためにグラフで示す図である。
【図１１】本発明による露光ランプ立ち上がり時のＣＣＤ出力と時間の関係をグラフで示す図である。
【図１２】光源の他の制御を示すブロック図である。
【図１３】図１２の光源の制御動作について説明するフローチャートである。
【図１４】Δβの値を表として示す図である。
【図１５】本発明による露光ランプの立ち上がりを示す特性図である。
【図１６】本発明の第１キャリッジの構成を示す概略斜視図である。
【図１７】調光時の露光ランプの管面温度−照度特性の一例を示す特性図である。
【図１８】サーミスタの温度−抵抗特性の一例を示す特性図である。
【符号の説明】
【００２４】
０１  スキャナ本体
０２  自動両面原稿搬送装置（ＡＲＤＦ）
０３  画像形成装置本体
０２  露光ランプ
０７  記憶制御ユニット（ＳＣＵ）
１０  センサボードユニット（ＳＢＵ）
３１  第１キャリッジ
５０  温度検出手段
６０  光電変換素子（ＣＣＤ）
６８  制御回路（ＣＰＵ）
７５  ライン同期信号（ＴＧ−ＩＮＶ）
７６  クロック信号（ＣＬＫ）
７７  コントロール信号（オン／オフ制御信号ＣＮＴ）
７８  ゲート信号（ＧＡＴＥ）
８０  インバータ回路
ｆ１  最小光量での点灯パルス周波数
ｆ０  パルス周波数
【図１】
2008042689.tif 000003
【図２】
2008042689.tif 000004
【図３】
2008042689.tif 000005
【図４】
2008042689.tif 000006
【図５】
2008042689.tif 000007
【図６】
2008042689.tif 000008
【図７】
2008042689.tif 000009
【図８】
2008042689.tif 000010
【図９】
2008042689.tif 000011
【図１０】
2008042689.tif 000012
【図１１】
2008042689.tif 000013
【図１２】
2008042689.tif 000014
【図１３】
2008042689.tif 000015
【図１４】
2008042689.tif 000016
【図１５】
2008042689.tif 000017
【図１６】
2008042689.tif 000018
【図１７】
2008042689.tif 000019
【図１８】
2008042689.tif 000020